(57)【特許請求の範囲】
【請求項１】
媒体を収容し、この媒体を先端開口から繰出せるように形成された本体と、
前記本体内を前後方向に摺動可能であり、前記媒体を前記先端開口方向へ押し出し可能な繰出し体と、
前記本体に対して往復動可能に設けられたノック体と、
前記本体内に配置されると共に後方へ常時付勢されており、前記ノック体のノックによって前記本体内を前進する推進部材と、
を備え、
前記繰出し体は、前後方向に延びた延設部を備え、前記延設部には、複数の係止部が前後方向に一定間隔毎に形成され、
前記推進部材は、前記係止部に係合可能な係合部分を備え、
前記本体内には、前記係止部に係合可能な戻り止め部材が固定配置され、
前記延設部は、前記係止部が前記戻り止め部材に対して相対的に前方へ滑れるが、前記係止部が前記戻り止め部材に対して相対的に後方へ滑れずに前記戻り止め部材との係合を維持するように、構成され、
前記推進部材は、前記係合部分が前記係止部に対して相対的に後方へ滑れるが、前記係合部分が前記係止部に対して相対的に前方へ滑れずに前記係止部との係合を維持するように、構成されたことを特徴とするノック式繰出し容器。
【請求項２】
前記延設部には、複数の円錐台形状部分が連続して形成され、隣接する２つの円錐台形状部分の間に前記複数の係止部の１つが画成されたことを特徴とする請求項１記載のノック式繰出し容器。
【請求項３】
前記推進部材は、前記延設部に対して径方向に変位可能となった弾性片部を備え、該弾性片部の先端に形成された推進爪が前記係合部分であることを特徴とする請求項１または２記載のノック式繰出し容器。
【請求項４】
前記戻り止め部材は、前記延設部に対して径方向に変位可能となった弾性片部を備え、該弾性片部の先端には、前記係止部に係合可能な戻り止め爪が形成されたことを特徴とする請求項１ないし３のいずれか１項に記載のノック式繰出し容器。
【請求項５】
前記ノック体は、本体の側部において本体の前後方向に直交する方向に往復動可能に配置され、前記ノック体には第１カム面が形成され、前記推進部材には、前記第１カム面に摺接する第２カム面が形成されており、前記ノック体のノックにより、前記第１カム面と前記第２カム面とが協働して前記推進部材が前進することを特徴とする請求項１ないし４のいずれか１項に記載のノック式繰出し容器。
【請求項６】
前記本体は、前記媒体を収容可能な収容室を複数備え、各収容室は前記先端開口を備え、前記繰出し体は、前記複数の収容室のそれぞれに対応して設けられて前記媒体を前記先端開口方向へと押し出す複数のピストンを備えたことを特徴とする請求項１ないし５のいずれか１項に記載のノック式繰出し容器。
【請求項７】
前記繰出し体は、前記延設部が前記複数のピストンに対して並列に配置されるように、構成されたことを特徴とする請求項６記載のノック式繰出し容器。
【発明の詳細な説明】
【技術分野】
【０００１】
本発明は、ノックにより、化粧用、筆記用、修正用、医療用（歯科用）、工業用等の媒体を繰り出すノック式繰出し容器に関する。
【背景技術】
【０００２】
従来、この種のノック式繰出し容器としては、特許文献１に記載されたものが知られている。この特許文献１で開示されるノック式繰出し容器では、液体を収容するタンク部を内蔵し、その先端開口から液体を繰出し可能となった本体と、本体の側部に本体に対して出没可能に設けられたノック体と、本体の内部にあって、ノック体が作用しノック体のノックにより所定方向に回転し、ノック解除により反対方向に回転する回転部材と、回転部材の回転方向を規制する回転制御機構と、液体を繰出す繰出し体と、回転部材の回転を前記繰出し体の本体内の軸方向の前進運動に変換するネジ変換機構と、を備えている。【０００３】
上記従来のノック式繰出し容器においては、ノック体をノックすると、回転部材が回転し、ネジ変換機構によって回転部材の回転が繰出し体の前進運動に変換されて、その回転部材の回転角度に応じた繰出し体の前進量に相当する液体が本体から繰出されるようになっている。
【先行技術文献】
【特許文献】
【０００４】
【特許文献１】特開２００５−２１２４１８号公報
【発明の概要】
【発明が解決しようとする課題】
【０００５】
しかしながら、上記従来のノック式繰出し容器では、ネジ変換機構によって回転部材の回転を繰出し体の前進運動に変換しているために、媒体を定量の繰出しに制限するためには、複雑な構成になるという問題がある。【０００６】
本発明は、かかる課題に鑑みなされたもので、その目的は、より簡単な構成で、ノック体のノックにより媒体を定量的に繰出すことができるノック式繰出し容器を提供することである。
【課題を解決するための手段】
【０００７】
上記目的を達成するために本発明によるノック式繰出し容器は、
媒体を収容し、その先端開口から媒体を繰出し可能となった本体と、
本体内を前後方向に摺動して媒体を先端開口方向へと押し出し可能であると共に、前後方向に延びた延設部を備え、該延設部には、前後方向一定間隔毎に係止部が形成される、繰出し体と、
本体に対して往復動可能に設けられたノック体と、
ノック体のノックによって前進すると共に後方へ常時付勢されており、繰出し体の係止部に対して相対的に後方に滑ることが可能に係止する推進部材と、
本体内に前後方向に固定的に設けられて、繰出し体に対して相対的に後方に滑ることが可能に係合する戻り止め部材と、
を備える。【０００８】
前記延設部には、複数の円錐台形状部分が連続して形成されており、各円錐台形状部分が１つの係止部を構成するようにすることができる。【０００９】
前記推進部材には、延設部に対して径方向に変位可能となった弾性片部の先端に形成されて前記係止部に係止する推進爪が設けられるようにすることができる。【００１０】
前記戻り止め部材には、延設部に対して径方向に変位可能となった弾性片部の先端に形成されて前記係止部に係止する戻り止め爪が設けられるようにすることができる。【００１１】
前記ノック体は、本体の側部において本体の前後方向に直交する方向に往復動可能となっており、前記ノック体には第１カム面が形成され、前記推進部材には、該第１カム面に摺動する第２カム面が形成されており、ノック体のノックにより、前記第１カム面と第２カム面とが協働して前記推進部材が前進するようにすることができる。【００１２】
前記本体は複数の先端開口を備え、前記繰出し体は、複数の先端開口に対応して媒体を先端開口へと押し出す複数のピストンを備えており、延設部は複数のピストンに対して並列に配置されることができる。
【発明の効果】
【００１３】
本発明によれば、ノック体をノックすることによって、推進部材が前進し、推進部材が係止部に係止していることにより繰出し体が一緒に前進することで、媒体が繰出される。ノック体のノックを解除すると、推進部材が後方への付勢力によって後退し、このときに、繰出し体は戻り止め部材によって係合されているために、繰出し体は後退せず、推進部材が繰出し体に対して後方に滑って元の状態に戻ることができる。【００１４】
こうして、ノック体のノック毎に、戻り止め部材によって係合される繰出し体が移動していくことで、媒体を繰出すことができるようになる。【００１５】
繰出し体の延設部に一定間隔毎に形成された係止部に推進部材が係止することで、簡単な構成で媒体の繰出しを定量的にすることができる。
【図面の簡単な説明】
【００１６】
【図１】本発明のノック式繰出し容器の第１の実施形態を表す全体斜視図である。
【図２】本発明のノック式繰出し容器の第１の実施形態を表す全体断面図である。
【図３】図１のノック式繰出し容器においてノック体をノックした状態を表す全体断面図である。
【図４】図１のノック式繰出し容器の要部の分解斜視図である。
【図５】図５Ａはノック体の側面図、図５Ｂは正面図である。
【図６】図１のピストンとピストンロッドの側面図である。
【図７】図１の戻り止め筒の断面図である。
【図８】図８Ａは図１の推進筒の平面図、図８Ｂは側面図、図８Ｃは図８Ｂのｃ−ｃ断面図である。
【図９】図１のノック式繰出し容器の動作を表し、図９Ａはノック前、図９Ｂはノック時、図９Ｃはノック後を表す要部断面図である。
【図１０】図１のノック式繰出し容器の動作を表し、図１０Ａはノック前、図１０Ｂはノック時、図１０Ｃはノック後を表す図９とは９０度異なる位置における要部断面図である。
【図１１】本発明のノック式繰出し容器の第２の実施形態を表す全体平面図である。
【図１２】図１１の全体断面図である。
【図１３】図１１の図１２と異なる９０度異なる面で見た全体断面図である。
【図１４】図１４Ａはノック体の側面図、図１４Ｂは正面図である。
【図１５】図１５Ａは図１１の繰出し体の平面図、図１５Ｂはピストンロッドの部分斜視図である。
【図１６】図１１の戻り止め筒の断面図である。
【図１７】図１７Ａは図１１の推進筒の平面図、図１７Ｂは推進筒の断面図である。
【発明を実施するための形態】
【００１７】
以下、図面を用いて本発明の実施形態を説明する。
【００１８】
図１〜図４は、本発明の第１の実施形態に係るノック式繰出し容器を表す。図において、符号１０はノック式繰出し容器であり、ノック式繰出し容器１０は、使用者が把持する本体１２と、本体１２に対して着脱可能に被着されるキャップ１４とを備える。
【００１９】
本体１２の内部には、繰出す対象物である媒体Ｍが収容される。媒体Ｍとしては、固体、液体、ゲルといった任意の形態の媒体とすることができる。この例では、アイライナーなどの化粧用媒体としているが、これに限るものではなく、筆記用、修正用、医療用（歯科用を含む）、または工業用媒体とすることができる。そして、本体１２の先端にある先端開口１２ａから、媒体Ｍを繰出すことができるようになっている。本体１２は、複数の部品から構成することも可能である。キャップ１４は、不使用時、先端開口１２ａを覆うようにして本体１２に被着される。
【００２０】
本体１２の先端部の側面には、側面開口１２ｂが形成されており、この側面開口１２ｂ内には、使用者が操作するためのノック体２０が設けられており、このノック体２０は、本体１２の前後方向に直交して本体１２の内外方向に往復動可能となっている。
【００２１】
ノック体２０は、横断面略Ｕ字状となっており、図５に示したように、その両側面の下端が切り欠かれて、複数のカム面２０ａが形成されている。また、両側面の外側には、側面開口１２ｂからの抜け止めのための抜け止め用リブ２０ｂが形成される。
【００２２】
本体１２内には、本体１２内を前後方向に摺動可能となっており、媒体Ｍを先端開口１２ａの方へと押し出し可能となったピストン２２と、ピストン２２の後端に連結されて前後方向に延びるピストンロッド２４とが配設される。ピストン２２とピストンロッド２４とで繰出し体が構成され、ピストンロッド２４によって繰出し体の前後方向に延びる延設部が構成される。
【００２３】
図６に示すように、ピストンロッド２４の外周面は、円錐台形状部分２４ａが前後に連続的に連なった形状となっており、円錐台の底面からなる段部２４ｂと円錐台の斜面からなるテーパ部２４ｃとが交互に繰り返されており、この段部２４ｂとテーパ部２４ｃによって係止部２４ｄが画成される。
【００２４】
さらに本体１２内には、前記ノック体２０のノックを繰出し体であるピストン２２とピストンロッド２４の前進に変換して、媒体を定量的に繰出すための、戻り止め筒２６と推進筒２８とが配設される。
【００２５】
戻り止め筒２６には、図７に示したように、本体１２の側面開口１２ｂと整合した位置に切欠部２６ａが形成されている。戻り止め筒２６の先端には、前記ピストンロッド２４の係止部２４ｄに係止可能となった一対の戻り止め爪２６ｂが形成される。各戻り止め爪２６ｂは、戻り止め筒２６の先端に切り込まれたスリットに挟まれた弾性片部の先端に形成されており、径方向に弾性変形可能となっている。そして、ピストンロッド２４の係止部２４ｄは、戻り止め爪２６ｂに対して相対的に滑りながら前進することが可能であるのに対して、後方へは滑ることはできずに戻り止め爪２６ｂとの係合状態を維持するようになっている。換言すれば、戻り止め爪２６ｂは、係止部２４ｄに対して相対的に後方に滑ることが可能になっている。
【００２６】
推進筒２８は、図８に示したように、その外周面に、複数のカム突起２８ａを有しており、そのカム面２８ｂは、前記ノック体２０のカム面２０ａに対向して摺接可能となっている。また、その側部には、前記ピストンロッド２４の係止部２４ｄに係止可能となった一対の推進爪２８ｃが形成される。各推進爪２８ｃは、推進筒２８の周面に切り込まれた３つのスリットに挟まれた弾性片部の先端に形成されており、径方向に弾性変形可能となっている。そして、推進爪２８ｃは、ピストンロッド２４の係止部２４ｄに対して相対的に滑りながら後退することが可能であるのに対して、前方へは滑ることはできずに係止部２４ｄとの係合状態を維持するようになっている。
【００２７】
戻り止め筒２６の内側段面と、推進筒２８の鍔部との間には、リターンスプリング２９が配設されており、両筒を離反する方向に付勢している。このリターンスプリング２９によって、戻り止め筒２６は、本体１２の内面に形成されたテーパ面１２ｃに押し付けられて常時本体１２に対して固定されている。これに対して推進筒２８は、リターンスプリング２９によって後方に常時付勢されながら、本体１２内及び戻り止め筒２６内を前後に移動可能となっている。
【００２８】
本体１２の後端は、尾栓１３によって閉塞されている。
【００２９】
以上のように構成されるノック式繰出し容器１０において、その作用を説明する。
【００３０】
まず、ノック式繰出し容器１０を使用する場合には、キャップ１４を本体１２から取り外す。そして、媒体Ｍを本体１２から繰出そうとする場合には、ノック体２０をノックする(図９Ａ、図１０Ａ)。ノックによりノック体２０が本体１２内へと押し込まれ、ノック体２０のカム面２０ａが推進筒２８のカム面２８ｂに摺接して、推進筒２８を前方へと押し出す。この推進筒２８の推進爪２８ｃがピストンロッド２４の係止部２４ｄに係止しているために、推進筒２８の前進と共にピストンロッド２４及びピストン２２が前進し（図９Ｂ、図１０Ｂ）、媒体Ｍが本体１２の先端開口１２ａから繰り出される。このピストンロッド２４が前進する際に、ピストンロッド２４の係止部２４ｄは戻り止め爪２６ｂに対して滑るようにして、ピストンロッド２４は戻り止め筒２６に対して相対的に前進する。
【００３１】
そして、ノック体２０のノック力を解除すると、推進筒２８は、リターンスプリング２９による付勢力により後方に戻ろうとし、ノック体２０は、本体１２外へと押し戻される。このときに、ピストンロッド２４の係止部２４ｄは戻り止め筒２６の戻り止め爪２６ｂによって係止されており、ピストンロッド２４は戻ることが防止される。一方、推進爪２８ｃはピストンロッド２４の係止部２４ｄに対して滑るようにして、ピストンロッド２４に対して相対的に後退する（図９Ｃ、図１０Ｃ）。
【００３２】
以上のように、ノック体２０の１回のノックによって、ピストンロッド２４は、係止部２４ｄの繰り返しピッチの倍数分だけ前進して、前進した位置で保持されるので、媒体Ｍを定量的に繰出すことが可能である。また、ノック体２０の１回のノックによって前進できる推進筒２８の前進量は限定されているため、ピストンロッド２４の前進量に相当する媒体Ｍの繰出し量は、必ず一定量以下とすることができる。
【００３３】
また、ノック体２４のノック量を一定範囲に規制することにより、１回のノックで必ず係止部２４ｄの１ピッチ分または定ピッチ分だけ前進するように規制してもよい。
【００３４】
図１１〜図１３は、本発明の第２の実施形態に係るノック式繰出し容器を表す。図において、符号３０はノック式繰出し容器であり、ノック式繰出し容器３０は、使用者が把持する本体３２を備える。
【００３５】
本体３２の内部は、２つの収容室３２ｄ、３２ｄが形成されており、各収容室３２ｄには、繰出す対象物である媒体Ｍ１、Ｍ２が収容される。この場合、それぞれの収容室３２ｄには、異なる媒体を収容することができ、それぞれの収容室３２ｄの先端に設けられた先端開口３２ａから、それぞれ異なる媒体Ｍ１、Ｍ２を繰出すことができ、容器３０の外部で、繰出した異なる媒体Ｍ１、Ｍ２を混合することができるようになっている。また、本体３２の内部には、２つの収容室３２ｄ、３２ｄの間に収容室３２ｄに並列して駆動室３２ｅが形成される。尚、本体３２は、複数の部品から構成することも可能である。
【００３６】
本体３２の先端部の一側面には、側面開口３２ｂが形成されており、この側面開口３２ｂ内には、使用者が操作するためのノック体４０が設けられており、このノック体４０は、本体３２の前後方向に直交して本体３２の内外方向に往復動可能となっている。
【００３７】
ノック体４０は、横断面略Ｕ字状となっており、図１４に示したように、その両側面の下端が切り欠かれて、複数のカム面４０ａが形成されている。また、前後外側には、側面開口３２ｂからの抜け止めのための抜け止め用リブ４０ｂが形成される。
【００３８】
本体３２内には、本体３２内を前後方向に摺動可能となっており、媒体Ｍ１、Ｍ２を先端開口３２ａ、３２ａの方へと押し出し可能となった繰出し体４２が配設される。繰出し体４２は、本体３２の各収容室３２ｄに対応して設けられたピストン４３と、駆動室３２ｅに対応して設けられたピストンロッド４４とを有している。２つのピストン４３は、互いにその後端部が連結部４３ａによって連結されており、連結部４３ａの中央からピストンロッド４４が前方に向かって延設される。そして、ピストンロッド４４によって繰出し体４２の前後方向に延びる延設部が構成される。
【００３９】
図１５に示すように、各ピストン４３の先端部には環状凹部４３ｂが形成されており、環状凹部４３ｂ内にシール用のＯリング４５が嵌合して、収容室３２ｄに対してシール性を保ちながらピストン４３が収容室３２ｄを摺動できるようになっている。
また、ピストンロッド４４の外周面は、円錐台形状部分４４ａが前後に連続的に連なったものからその一部が切り欠かれた形状となっており、円錐台形状部分４４ａとなった部分は、円錐台の底面からなる段部４４ｂと円錐台の斜面からなるテーパ部４４ｃとが交互に繰り返されており、この段部４４ｂとテーパ部４４ｃによって係止部４４ｄが画成される。尚、ピストンロッド４４の外周面の円錐台形状部分４４ａから一部切り欠いた状態としているのは、ピストンロッド４４を後述の戻り止め筒４６及び推進筒４８から組立調整時等に抜き出すことができるようにするためである。
【００４０】
さらに本体３２の駆動室３２ｅ内には、前記ノック体４０のノックを繰出し体の前進に変換して、媒体を定量的に繰出すための、戻り止め筒４６と推進筒４８とが配設される。
【００４１】
戻り止め筒４６は、図１６に示したように、本体３２の内周面に形成された突起３２ｆ（図１３）に嵌合可能となった溝４６ａを備えており、溝４６ａと突起３２ｆとの嵌合により、戻り止め筒４６は本体３２内で前後方向に固定的に設けられる。戻り止め筒４６の内部には、前記ピストンロッド４４の係止部４４ｄに係止可能となった一対の戻り止め爪４６ｂが形成される。各戻り止め爪４６ｂは、戻り止め筒４６の後端から内部へと延びる弾性片部の先端に形成されており、径方向に弾性変形可能となっている。そして、ピストンロッド４４の係止部４４ｄは、戻り止め爪４６ｂに対して相対的に滑りながら前進することが可能であるのに対して、後方へは滑ることはできずに戻り止め爪４６ｂとの係合状態を維持するようになっている。換言すれば、戻り止め爪４６ｂは、係止部４４ｄに対して相対的に後方に滑ることが可能になっている。
【００４２】
推進筒４８は、図１７に示したように、その外周面に、複数のカム突起４８ａを有しており、そのカム面４８ｂは、前記ノック体４０のカム面４０ａに対向して摺接可能となっている。また、推進筒４８の後側部には、前記ピストンロッド４４の係止部４４ｄに係止可能となった一対の推進爪４８ｃが形成される。各推進爪４８ｃは、推進筒４８の周面に切り込まれた３つのスリットに挟まれた弾性片部の先端に形成されており、径方向に弾性変形可能となっている。そして、推進爪４８ｃは、ピストンロッド４４の係止部４４ｄに対して相対的に滑りながら後退することが可能であるのに対して、前方へは滑ることはできずに係止部４４ｄとの係合状態を維持するようになっている。
【００４３】
推進筒４８の先端と駆動室３２ｅの先端面との間には、リターンスプリング５０が配設されており、これによって推進筒４８は、後方に常時付勢されながら、駆動室３２ｅ内を前後に移動可能となっている。
【００４４】
本体３２の後端は、尾栓５２によって閉塞されている。
【００４５】
以上のように構成されるノック式繰出し容器３０においては、第１の実施形態のノック式繰出し容器１０と同様に作用させることができる。即ち、媒体Ｍ１、Ｍ２を本体３２から繰出そうとする場合には、ノック体４０をノックすると、ノックによりノック体４０が本体３２内へと押し込まれ、ノック体４０のカム面４０ａが推進筒４８のカム面４８ｂに摺接して、推進筒４８を前方へと押し出す。この推進筒４８の推進爪４８ｃがピストンロッド４４の係止部４４ｄに係止しているために、推進筒４８の前進と共にピストンロッド４４及びピストン４３が前進し、媒体Ｍ１、Ｍ２が本体３２の先端開口３２ａから繰り出される。このピストンロッド４４が前進する際に、ピストンロッド４４の係止部４４ｄは戻り止め爪４６ｂに対して滑るようにして、ピストンロッド４４は戻り止め筒４６に対して相対的に前進する。
【００４６】
そして、ノック体４０のノック力を解除すると、推進筒４８は、リターンスプリング５０による付勢力により後方に戻ろうとし、ノック体４０は、本体３２外へと押し戻される。このときに、ピストンロッド４４の係止部４４ｄは戻り止め筒４６の戻り止め爪４６ｂによって係止されており、ピストンロッド４４及びピストン４３は戻ることが防止される。一方、推進爪４８ｃはピストンロッド４４の係止部４４ｄに対して滑るようにして、ピストンロッド４４に対して相対的に後退する。
【００４７】
以上のように、ノック体４０の１回のノックによって、ピストンロッド４４は、係止部４４ｄの繰り返しピッチの倍数分だけ前進して、前進した位置で保持されるので、媒体Ｍ１、Ｍ２を定量的に繰出すことが可能である。また、ノック体４０の１回のノックによって前進できる推進筒４８の前進量は限定されているため、ピストンロッド４４の前進量に相当する媒体Ｍ１、Ｍ２の繰出し量は、必ず一定量以下とすることができる。また、ノック体４０のノック量を一定範囲に規制することにより、１回のノックで必ず係止部４４ｄの１ピッチ分または定ピッチ分だけ前進するように規制してもよい。尚、図示した例では、２つの収容室３２ｄ、３２ｄ及び２つのピストン４３、４３の断面積は同一であったが、それら断面積の比率を１以外として、２つの媒体Ｍ１、Ｍ２の供給比率を変えるようにしてもよい。
【００４８】
尚、以上の例では、ノック体２０、４０は、本体１２、３２の側面開口１２ｂ、３２ｂに設けられたサイドノック式となっており、これによって、使用者は、本体１２、３２を把持しながら持ち変えることなく、ノック体２０、４０のノックを行うことができる。
【００４９】
しかしながら、本発明は、このようなサイドノック式に限定されることなく、所謂、後端ノック式に適用することも可能であり、この場合、ノック体を後端に配設し、ノック体と推進筒とを一体に連結して（即ち、ノック体と推進筒とを一体部品で構成してもよいし、または別部品を連結してもよい）、推進筒をリターンスプリングによって常時後方に付勢して構成することができる。ノック体をノックすることによって推進筒が一体に前進するようにして、それ以外は上記実施形態と同様に動作することによって、媒体を繰出すことができる。
【００５０】
また、以上の例では、戻り止め筒２６、４６の戻り止め爪２６ｂ、４６ｂによってピストンロッド２４、４４の係止部２４ｄ、４４ｄに係止してピストンロッド２４、４４の戻り止めを行っていたが、これに限るものではない。例えば、戻り止め部材としてのゴムパッキンを設けて、該ゴムパッキンがピストンロッド２４、４４と接触して係合するようにして、ピストンロッド２４、４４との摩擦力によってピストンロッド２４、４４の戻り止めを行ってもよい。または、戻り止め部材とピストンロッド２４、４４またはピストン２２、４３との他の任意の係合方法（例えば、磁力による係合）によって、ピストンロッド２４、４４及びピストン２２、４３の戻り止めを行うことができる。
【００５１】
また、以上の例では、ノック体２０、４０のノックをカム面２０ａ、２８ｂ、４０ａ、４８ｂの協働によって推進筒２８、４８の前進に変換していたが、これに限るものではなく、リンク機構、ギヤ機構、その他任意の機構を用いて変換することが可能である。
【００５２】
また、以上の実施形態において複数の部材で構成した部品を単一部材で構成することも可能であり、または単一の部材で構成した部品を複数の部材で構成することも可能である。
【符号の説明】
【００５３】
１０、３０  ノック式繰出し容器
１２、３２  本体
１２ａ、３２ａ  先端開口
２０、４０  ノック体
２０ａ、４０ａ  カム面（第１カム面）
２２、４３  ピストン（繰出し体）
２４、４４  ピストンロッド（繰出し体、延設部）
２４ａ、４４ａ  円錐台形状部分
２４ｄ、４４ｄ  係止部
２６、４６  戻り止め筒（戻り止め部材）
２６ｂ、４６ｂ  戻り止め爪
２８、４８  推進筒（推進部材）
２８ｂ、４８ｂ  カム面（第２カム面）
２８ｃ、４８ｃ  推進爪
４２  繰出し体
Ｍ、Ｍ１、Ｍ２  媒体
【図１】
0005555774.tif 000002
【図２】
0005555774.tif 000003
【図３】
0005555774.tif 000004
【図４】
0005555774.tif 000005
【図５】
0005555774.tif 000006
【図６】
0005555774.tif 000007
【図７】
0005555774.tif 000008
【図８】
0005555774.tif 000009
【図９】
0005555774.tif 000010
【図１０】
0005555774.tif 000011
【図１１】
0005555774.tif 000012
【図１２】
0005555774.tif 000013
【図１３】
0005555774.tif 000014
【図１４】
0005555774.tif 000015
【図１５】
0005555774.tif 000016
【図１６】
0005555774.tif 000017
【図１７】
0005555774.tif 000018